(57)【要約】【課題】袋本体、油吸着材及び浮力付与材を回収する必要がなく、油の処理作業のコストを大幅に低減することができる油処理材を提供する。【解決手段】袋本体１２の内部に形成された３つの収容部１４に炭化処理粉末１５を充填し、フロート１６及び微生物収容袋１７を収容する。袋本体１２及びフロート１６の材質を生分解性材料とし、微生物収容袋１７を水溶性材料により形成する。海面に油処理材１１を浮上させると、袋本体１２の内部に海水が進入し、この海水によって微生物収容袋１７が溶解され、微生物が炭化処理粉末１５に担持される。袋本体１２を透過した油は炭化処理粉末１５によって吸着され、微生物によって分解される。所定期間が経過すると、前記袋本体１２及びフロート１６が分解され炭化処理粉末１５が海底に沈降する。このため袋本体、油吸着材及び浮力付与材等の回収作業が不要になる。【選択図】      図１
2006026611.tif 000002
【特許請求の範囲】
【請求項１】
油透過性を有し、かつ生分解性材料により形成された袋本体と、
上記袋本体に収容された油吸着材と、
生分解性材料により形成された浮力付与材と、
前記袋本体に収容され、かつ油分解能を有する微生物又は微生物製剤と
により構成したことを特徴とする油処理材。  
【請求項２】
請求項１において、微生物又は微生物製剤を水溶性のパッケージに収容したことを特徴とする油処理材。
【請求項３】
請求項１又は２において、前記油吸着材は、植物を炭化処理した炭化処理物であることを特徴とする油処理材。
【請求項４】
請求項１〜３のいずれか一項において、前記浮力付与材は、酢酸セルロース系又はポリカプロラクトン系の樹脂であることを特徴とする油処理材。
【請求項５】
請求項１〜４のいずれか一項において、前記袋本体は、植物製のポリ乳酸繊維により形成された不織布であることを特徴とする油処理材。
【請求項６】
請求項１〜５のいずれか一項において、前記油吸着材は、粉末状又は繊維状に形成されていることを特徴とする油処理材。
【発明の詳細な説明】
【技術分野】
【０００１】
本発明は、例えば海水あるいは河川の水の表面に浮遊する油を分解して処理するための油処理材に関する。
【背景技術】
【０００２】
従来、水面に浮遊した油分を炭粒子に吸収させて、炭粒子に担持された微生物によって、油分を分解処理するための微生物含有油処理材が提案されている。（特許文献１参照）
又、厨房廃水の油除去、海洋、河川事故時の油回収、工場廃油の処理等に使用される油吸着袋も提案されている。（特許文献２参照）この油吸着袋は、粉末状又は繊維状の油吸着材と、この油吸着材を内部に封じ込めた油透過性を有する袋本体と、撥水性、耐油性を有する浮力付与材とによって構成されている。この油吸着袋は、例えば、海水に浮上させて、浮遊する油分を油吸着材によって回収し、油を吸着処理した後に回収され、焼却処理されるようになっている。
【特許文献１】特開２００３−６１６４３号公報
【特許文献２】特開２００２−３２０９６６号公報
【発明の開示】
【発明が解決しようとする課題】
【０００３】
ところが、特許文献１に開示された微生物含有油処理材及び特許文献２に開示された油吸着袋は、共に油処理を終えた後、炭粒子あるいは油吸着材を収容する袋を回収して、焼却処分しなければならいので、油の処理作業のコストの低減を図ることが難しいという問題があった。
【０００４】
本発明は、油の処理作業のコストを低減することができる油処理材を提供することにある。
【課題を解決するための手段】
【０００５】
上記問題点を解決するために、請求項１に記載の発明は、油透過性を有し、かつ生分解性材料により形成された袋本体と、上記袋本体に収容された油吸着材と、生分解性材料により形成された浮力付与材と、前記袋本体に収容され、かつ油分解能を有する微生物又は微生物製剤とにより構成したことを要旨とする。
【０００６】
請求項２に記載の発明は、請求項１において、微生物又は微生物製剤を水溶性のパッケージに収容したことを要旨とする。
請求項３に記載の発明は、請求項１又は２において、前記油吸着材は、植物を炭化処理した炭化処理物であることを要旨とする。
【０００７】
請求項４に記載の発明は、請求項１〜３のいずれか一項において、前記浮力付与材は、酢酸セルロース系又はポリカプロラクトン系の樹脂であることを要旨とする。
請求項５に記載の発明は、請求項１〜４のいずれか一項において、前記袋本体は、植物製のポリ乳酸繊維により形成された不織布であることを要旨とする。
【０００８】
請求項６に記載の発明は、請求項１〜５のいずれか一項において、前記油吸着材は、粉末状又は繊維状に形成されていることを要旨とする。
【発明の効果】
【０００９】
本発明によれば、油処理材を海洋や河川の水面に浮上させると、水面に浮遊する油分が袋本体を透過して、油吸着材に吸着される。この油分は、微生物又は微生物製剤によって分解処理される。浮力付与材は、生分解性材料により形成されているので、油分の分解処理が終了した後に、水によって分解され、袋本体及び油吸着材を浮上させる機能が失われ、袋本体及び油吸着材は、水中に沈降する。又、前記袋本体も生分解性材料により形成されているので、海洋や河川の底に沈降された袋本体も水によって分解され消滅する。
【００１０】
本発明は、油を微生物又は微生物製剤によって分解処理した後に、袋本体、油吸着材及び浮力付与材を回収する必要がなく、油の処理作業のコストを大幅に低減することができる。
【発明を実施するための最良の形態】
【００１１】
以下、本発明を具体化した油処理材の一実施形態を図１〜図３に従って説明する。
この実施形態の油処理材１１を構成する袋本体１２は、上側不織布シート１２ａと下側不織布シート１２ｂを重ね合わせて、それらの外周縁と、中間部を高周波ミシンによって振動を付与して、融着部１３を形成することによって構成されている。袋本体１２の内部には、３カ所に収容部１４が形成されている。
【００１２】
前記各収容部１４には、油吸着材としての木材を炭化処理した炭化処理粉末１５が充填されている。又、各収容部１４の内部には、炭化処理粉末１５に埋設されるようにしてフロート１６が収容され、フロート１６の上面には、微生物収容袋１７が支持されている。
【００１３】
前記袋本体１２の上側及び下側不織布シート１２ａ，１２ｂの材料として、完全生分解性不織布を用いている。この不織布は、例えばトウモロコシ等の植物を原料として、そのでんぷんから乳酸を生成し、この乳酸からポリ乳酸（polylactic）を生成する。このポリ乳酸から、ポリ乳酸不織布（生分解スパンボンド；商品名ハイボン, ＰＬＡ biodegradable spunbond 、シンワ株式会社；愛媛県川之江市妻鳥町２４９−２）を形成する。この不織布が微生物によって分解されたときには人畜に無害な水と炭酸ガスになる。
【００１４】
袋本体１２の上側及び下側不織布シート１２ａ，１２ｂは、油透過性を備えており、例えば１カ月程度を経過すると水中に元々生息する微生物によって分解が始まり、数ヶ月で完全に分解されて消滅する。
【００１５】
前記フロート１６は、図３に示すように、第１シート１８と第２シート１９を多数の密閉空洞２０が生じるように積層接着して形成されている。このシートの材料として、水（淡水、海水、下水等）や土壌、堆肥等の環境中で、微生物によって分解される完全な生分解性樹脂を用いている。この一例として、ダイセル化学工業株式会社製のセルグリーン（商標名）がある。このセルグリーンは、透明性に優れ、高強度、高粘性の特性を有した酢酸セルロース系又は高強度、高伸度の特性を有したポリカプロラクトン系のもを用いる。なお、この材料は油吸着性はない。又、フロート１６の材料として、川上産業株式会社（名古屋市中村区千成通２丁目５０番地）製のグリーンプチ（商品名）を用いてもよい。このグリーンプチは完全生分解性を有しているため、１カ月〜数カ月で水中に元々生息する微生物によって、人畜に無害な水と炭酸ガスに分解される。
【００１６】
油吸着剤の材料としての前記炭化処理粉末１５は、間伐材もしくは建築廃材を炭化したものを用いるのが望ましい。この炭化処理粉末１５として、多孔質の嵩密度、すなわち充填密度（日本工業規格ＪＩＳ  Ｋ１４７４、１７頁）の比較的小さい炭、すなわち嵩密度０．８以下、好ましくは０．７以下、特に好ましくは０．５以下の炭を用いる。
【００１７】
前記微生物収容袋１７は、図３に示すように、第１シート２２と第２シート２３によって、微生物２４又は微生物製剤を包蔵するように第１シート２２と第２シート２３の外周縁を高周波ミシンによって形成した接合部２５によって接合することにより構成されている。微生物収容袋１７は、水溶性の材質のものを用いる。この一例として、ポリビニルアルコール（ＰＶＡ）を主成分とする水溶性フイルムがある。アイセロ化学株式会社（愛知県豊橋市石巻本町越川４５番地）製の水溶性フイルムのソルブロン（商標名）は、水分とアンモニアの透過性を有している。このフイルムは瞬時に水に溶解されて、収容されていた微生物２４が炭化処理粉末１５に付着して担持される。
【００１８】
ところで、油は大別すると、動植物油と鉱物油とに区分できる。これは化学構造上の差が基本的にあるが、微生物も油分を分解する能力を持っていても必ずしも両方の油を共に分解するとは限らない。従って、微生物もしくは微生物製剤は、単一の菌により構成されていても、複合菌で成り立っていてもよい。油を分解する微生物は、好気性菌、嫌気性菌、通性嫌気性菌、カビ、酵母等がある。比較的多く見受けられるものとしては、例えば特開２００３−６１６４３号公報に開示されたようにＡｃｈｒｏｍｏｂａｃｔｅｒ. Ａｒｔｈｒｏｂａｃｔｅｒ. Ａｃｉｎｅｔｏｂａｃｔｅｒ. Ｃｏｒｙｎｅｂａｃｔｅｒｉｕｍ. Ｍｉｃｒｏｃｏｃｃｕｓ. Ｐｓｅｕｄｏｍｏｎａｓ. Ｆｌａｂｏｂａｃｔｅｒｉｕｍ. Ｍｙｃｏｂａｃｔｅｒｉｕｍ. Ｎｏｃａｒｄｉａ. Ａｅｒｏｍｏｎａｓ. Ｂａｃｉｌｌｕｓ. Ｍｏｒａｘｅｌｌａ. Ａｌｃａｌｉｇｅｎｅｓ. Ａｃｔｉｎｏｍｙｃｅｓ. Ｐｅｎｉｃｉｌｌｉｕｍ. Ｃｕｎｎｉｎｇｈａｍｅｌｌａ. Ｂｒｅｖｉｂａｃｔｅｒｉｕｍ. Ｒｈｏｄｏｃｏｃｕｓ. Ｒｈｏｄｏｔｏｒｕｌａ. Ａｃｒｅｍｏｎｉｕｍ. Ｂｅａｕｖｅｒｉａ. Ｃｌａｄｏｓｐｏｒｉｕｍ等多くの属の微生物がある。
【００１９】
次に、前記のように構成した油処理材１１について、その動作を説明する。
油処理材１１を海洋や河川の水に浮上させると、水に浮遊する油分が袋本体１２に形成された微細な隙間を透過して、炭化処理粉末１５に吸着される。又、前記微生物収容袋１７は、第１シート１８及び第２シート１９が水溶性材料により形成されているので、進入した水によって直ちに溶解され、微生物２４が前記炭化処理粉末１５に担持される。そして、前記炭化処理粉末１５に吸着された油分は、微生物によって分解処理される。
【００２０】
油分の微生物による分解処理作業が継続して行われ、海面に浮遊した油分の吸着分解処理が終了する時期になると、フロート１６が生分解性材料により形成されているので、自然界の水に元々生息する微生物によって分解され、袋本体１２及び炭化処理粉末１５を浮上させる機能が失われ、袋本体１２及び炭化処理粉末１５は、水中に沈降する。又、前記袋本体１２も、生分解性材料により形成されているので、海洋や河川の底に沈降された袋本体１２が自然界の水に元々生息する微生物によって分解され消滅する。
【００２１】
上記実施形態の油処理材によれば、以下のような効果を得ることができる。
（１）上記実施形態では、油処理材１１を用いて油の処理をした後に、袋本体１２、フロート１６及び微生物収容袋１７を構成する第１及び第２シート２２，２３が生分解されて消滅するので、それらの部材を回収する必要がなく、油の処理作業のコストを大幅に低減することができる。炭化処理粉末１５はそれ自身無害であるため、海底に沈んでも環境汚染の心配は無い。
【００２２】
（２）上記実施形態では、微生物収容袋１７を構成する第１及び第２シート２２，２３によって微生物２４を収容したので、油処理材１１の使用を開始した直後に、第１及び第２シート２２，２３が水によって溶解され、微生物２４が炭化処理粉末１５に担持される。このため、最初から炭化処理粉末１５に微生物２４を担持させる構造と比較して、微生物２４を安定して袋本体１２の内部に収容することができる。
【００２３】
（３）上記実施形態では、袋本体１２を構成する上側及び下側不織布シート１２ａ，１２ｂの中間部を融着部１３によって接合して、３つの収容部１４を形成したので、油処理材１１を扁平状に構成することができ、水面との接触面積を大きくすることができ、油の吸着効率を向上することができる。
【００２４】
なお、上記実施形態は以下のように変更してもよい。
○図４に示すように、油処理材１１の袋本体１２の収容部１４を１箇所のみに形成してもよい。又、フロート１６を袋本体１２の下面に接着剤により接着してもよい。さらに、収容部１４を二箇所に形成したり、４箇所以上に形成したりしてもよい。
【００２５】
○図５に示すように、生分解性材料よりなるフロート２６に形成した同じく生分解性材料よりなる連結具２７を、袋本体１２の左右両側部に形成した孔２８に係止するようにしてもよい。
【００２６】
○図６に示すように、袋本体１２を構成する下側不織布シート１２ｂに前記第１シート１８を接合部２９によって接合してもよい。
○油を吸収する素材として、親油性を有するものや多孔質のものが望ましい。生分解性材料よりなる発泡樹脂、泥炭、籾殻、おがくず、植物繊維、セルロース、セラミックス等を用いてもよい。
【００２７】
○図示しないが微生物を最初から油吸着材に担持させるようにしてもよい。
○図示しないが微生物を油処理材１１を使用する直前に袋本体１２の一部に孔を形成して注入するようにしてもよい。
【実施例１】
【００２８】
図１に示す実施形態において、上側及び下側不織布シート１２ａ，１２ｂの材料として、前記ポリ乳酸不織布、フロート１６の材料として、前記酢酸セルロース系のセルグリーン（商標名）、微生物収容袋１７の微生物として、前記Ａｃｈｒｏｍｏｂａｃｔｅｒを３ｇ用いた。又、第１及び第２シート２２，２３の材料として、水溶性フイルムの前記ソルブロン（商標名）を用い、前記３つの収容部１４の内部に炭化処理粉末１５（嵩密度０．７以下の炭）をそれぞれ１００ｇ収容した。
【００２９】
上記のような油処理材１１によって、海面に浮遊する油分を吸収して微生物２４によって分解させたところ、９００ｍＬの油分が２５日〜３カ月で分解処理されることが判明した。又、袋本体１２及びフロート１６の第１及び第２シート１８，１９が、３５日を経過した後に、分解が開始され、２〜６カ月経過した頃に完全に分解された。
【図面の簡単な説明】
【００３０】
【図１】この発明を具体化した油吸着材の一実施形態を示す断面図。
【図２】油吸着材の全体を示す斜視図。
【図３】フロート及び微生物収容袋の拡大断面図。
【図４】この発明の別の実施形態を示す断面図。
【図５】この発明の別の実施形態を示す断面図。
【図６】この発明の別の実施形態を示す断面図。
【符号の説明】
【００３１】
１１…油処理材、１２…袋本体、１４…収容部、１５…油吸着材としての炭化処理粉末、１６…浮力付与材としてのフロート、１７…微生物収容袋、２２…第１シート、２３…第２シート、２４…微生物。
【図１】
2006026611.tif 000003
【図２】
2006026611.tif 000004
【図３】
2006026611.tif 000005
【図４】
2006026611.tif 000006
【図５】
2006026611.tif 000007
【図６】
2006026611.tif 000008